(57)【要約】【課題】タッチパネルでの入力決定動作中に、検出位置の変動による誤入力を抑制することができる入力装置を提供する。【解決手段】指でタッチした位置（ｘ、ｙ）を検出し、またこの位置（ｘ、ｙ）に対応する選択肢を選択するタッチパッド３と、タッチパッド３を支持し、タッチパッド３へのタッチによる荷重を検出する荷重センサ５２と、荷重センサ５２の出力と第１及び第２の閾値により、タッチパッド３による選択と選択された選択肢の固定又は決定を判断して制御する制御部２４０と、を有して構成する。【選択図】図１
2013161357.tif 000002
【特許請求の範囲】
【請求項１】
タッチした位置を検出し、選択肢を選択するタッチパッドと、
前記タッチパッドを支持し、前記タッチパッドへのタッチによる荷重を検出する荷重センサと、
前記荷重センサの出力と第１及び第２の閾値により、前記タッチパッドによる選択と前記選択された選択肢の固定又は決定を判断して制御する制御部と、
を有することを特徴とする入力装置。
【請求項２】
前記制御部は、前記荷重センサの出力が前記第１の閾値以上のときに、前記選択された選択肢の固定を行なうことを特徴とする請求項１に記載の入力装置。
【請求項３】
前記制御部は、前記荷重センサの出力が前記第１の閾値より大きい第２の閾値以上になったときに、前記固定された選択肢の決定を行なうことを特徴とする請求項１又は２に記載の入力装置。
【請求項４】
前記制御部は、前記荷重センサの出力が前記第１の閾値より小さい第２の閾値以下になったときに、前記固定された選択肢の決定を行なうことを特徴とする請求項１又は２に記載の入力装置。
【発明の詳細な説明】
【技術分野】
【０００１】
本発明は、入力装置に関し、特にタッチパネルを備えた入力装置に関する。
【背景技術】
【０００２】
従来の技術として、タッチパネルを備え、このタッチパネルを指等で触りＸＹ座標がＣＰＵへ伝達されているときに、押圧によりメタルドームスイッチがＯＮになった場合に入力を決定し、その後対応する処理を行い、表示コントローラへ結果を送り、表示パネルへ結果が表示される構成の入力装置が知られている（例えば、特許文献１参照）。
【０００３】
この入力装置は、タッチパネルにおける操作面の裏側に、タッチパネルを押圧方向に可動可能とする柔軟部材を少なくとも１個配置し、かつ、タッチパネルにおける操作面の裏側にドームスイッチを配置し、タッチパネルに触れることによって、タッチパネルの位置情報を検出し、タッチパネルが押圧方向に可動し、ドームスイッチが押圧方向に押圧されることによって、入力信号が処理装置へ伝達される。この装置によれば、タッチパネルにおいて、機器の使用者に適切なクリック感を持つ入力装置を提供することができるとされている。
【先行技術文献】
【特許文献】
【０００４】
【特許文献１】特開２０１０−４９３１６号公報
【発明の概要】
【発明が解決しようとする課題】
【０００５】
しかし、従来の入力装置は、入力の決定の際にタッチパネルを指で押込む動作をし、タッチパネルが押圧方向に可動する構成とされているので、入力決定動作中に指の検出位置が変動してしまい異なる選択肢で決定してしまうという問題があった。
【０００６】
従って、本発明の目的は、タッチパネルでの入力決定動作中に、検出位置の変動による誤入力を抑制することができる入力装置を提供することにある。
【課題を解決するための手段】
【０００７】
[１]本発明は、上記の目的を達成するために、タッチした位置を検出し、選択肢を選択するタッチパッドと、前記タッチパッドを支持し、前記タッチパッドへのタッチによる荷重を検出する荷重センサと、前記荷重センサの出力と第１及び第２の閾値により、前記タッチパッドによる選択と前記選択された選択肢の固定又は決定を判断して制御する制御部と、を有することを特徴とする入力装置を提供する。
【０００８】
[２] 前記制御部は、前記荷重センサの出力が前記第１の閾値以上のときに、前記選択された選択肢の固定を行なうことを特徴とする上記[１]に記載の入力装置であってもよい。
【０００９】
[３]また、前記制御部は、前記荷重センサの出力が前記第１の閾値より大きい第２の閾値以上になったときに、前記固定された選択肢の決定を行なうことを特徴とする上記[１]又は[２]に記載の入力装置であってもよい。
【００１０】
[４]また、前記制御部は、前記荷重センサの出力が前記第１の閾値より小さい第２の閾値以下になったときに、前記固定された選択肢の決定を行なうことを特徴とする上記[１]又は[２]に記載の入力装置であってもよい。
【発明の効果】
【００１１】
本発明によれば、タッチパネルでの入力決定動作中に、検出位置の変動による誤入力を抑制することができる入力装置を提供することができる。
【図面の簡単な説明】
【００１２】
【図１】図１（ａ）は、本発明の実施の形態に係る入力装置を図１（ｂ）のII（ａ）-II（ａ）線で切断した断面を矢印の方向から見た断面図であり、図１（ｂ）は、入力装置の上平面図（図１（ａ）におけるＡ矢視図）である。
【図２】図２（ａ）は、ｘ軸方向に配置されるｘ電極パターンの概略図であり、（ｂ）は、ｙ軸方向に配置されるｙ電極パターンの概略図である。
【図３】図３は、入力装置のブロック構成図である。
【図４】図４（ａ）は、押込み操作により決定を行なう構成の場合の時間と荷重の関係を示す時間―荷重曲線の一例であり、図４（ｂ）は、指を離す操作により決定を行なう構成の場合の時間と荷重の関係を示す時間―荷重曲線の一例である。
【図５】図５は、押込み操作により決定を行なう構成の場合の動作フローを示すフローチャートである。
【図６】図６は、指を離す操作により決定を行なう構成の場合の動作フローを示すフローチャートである。
【発明を実施するための形態】
【００１３】
[本発明の実施の形態]
（入力装置１の構成）
図１（ａ）は、本発明の実施の形態に係る入力装置を図１（ｂ）のII（ａ）-II（ａ）線で切断した断面を矢印の方向から見た断面図であり、図１（ｂ）は、入力装置の上平面図（図１（ａ）におけるＡ矢視図）である。図２（ａ）は、ｘ軸方向に配置されるｘ電極パターンの概略図であり、（ｂ）は、ｙ軸方向に配置されるｙ電極パターンの概略図である。また、図３は、入力装置のブロック構成図である。以下、図１〜３に基づいて、入力装置１の構成を説明する。
【００１４】
本実施の形態に係る入力装置１は、指でタッチした位置（ｘ、ｙ）を検出し、またこの位置（ｘ、ｙ）に対応する選択肢を選択するタッチパッド３と、タッチパッド３を支持し、タッチパッド３へのタッチによる荷重を検出する荷重センサ５２と、荷重センサ５２の出力と第１及び第２の閾値により、タッチパッド３による選択と選択された選択肢の固定又は決定を判断して制御する制御部２４０と、を有して構成されている。
【００１５】
また、入力装置１は、例えば、図３に示すように、ｘ電極パターン１２、ｙ電極パターン１４、駆動部２０、及びタッチ検出部２２を有する静電検出部５と、制御部２４０、センサコントローラ２４１及びクロック信号生成部２４２を有するＥＣＵ（Electronic Control Unit）２４と、を備えて概略構成されている。
【００１６】
入力装置１は、例えば、タッチパッド３へのタッチ操作によりｘｙ座標、又はこのｘｙ座標に対応する選択肢（図示省略する表示画面上のアイコン、文字、図形等）の選択が可能であり、荷重センサ５２の出力と第１及び第２の閾値により、タッチパッド３による選択とこの選択された選択肢の固定又は決定を判断して制御することができる。
【００１７】
本実施の形態では、図１（ｂ）の紙面の横方向をｘ軸、縦方向をｙ軸とし、タッチパッド３の左上を原点としている。なお、以下の実施の形態に係る各図において、部品と部品との比率は、実際の比率とは異なる場合がある。また、以下において、ｘ軸の座標は、ｘに下付きの数字（１〜６）を付して、左から右に向かってｘ１〜ｘ６と示すものとする。また、ｙ軸の座標は、ｙに下付きの数字（１〜５）を付して、上から下に向かってｙ１〜ｙ５と示すものとする。
【００１８】
（センサ基板１０の構成）
タッチパッド３の主要部分であるセンサ基板１０は、例えば、ガラス又は合成樹脂等の材料を用いて板形状に形成されている。また、センサ基板１０は、例えば、図１（ａ）及び（ｂ）に示すように、ｘ軸方向に配置されるｘ電極パターン１２、及びｙ軸方向に配置されるｙ電極パターン１４が形成されている。
【００１９】
センサ基板１０は、一例として、ｘ軸方向に配置されるｘ電極パターン１２が形成された基板と、ｙ軸方向に配置されるｙ電極パターン１４が形成された基板と、を張り合わせることにより形成される。
【００２０】
（ｘ電極パターン１２及びｙ電極パターン１４の構成）
ｘ軸方向に配置されるｘ電極パターン１２及びｙ軸方向に配置されるｙ電極パターン１４は、例えば、銅等の金属材料を用いて形成されている。また、ｘ電極パターン１２及びｙ電極パターン１４は、例えば、ＩＴＯ（酸化インジウム）等の透明電極であっても良い。
【００２１】
ｘ軸方向に配置されるｘ電極パターン１２は、例えば、図１（ｂ）に示すように、ｘ軸に直交するように延伸して配置されている。ｘ軸方向には、図１（ｂ）に示すように、一例として、６個のｘ電極パターン１２がピッチＰ１で、等間隔で並んでいる。つまり、６個のｘ電極パターン１２は、ｘ軸の座標ｘ１〜座標ｘ６に対応する。６個のｘ電極パターン１２は、例えば、図３に示すように、駆動部２０及びタッチ検出部２２に電気的に接続されている。
【００２２】
また、ｙ軸方向に配置されるｙ電極パターン１４は、例えば、図１（ｂ）に示すように、ｙ軸に直交するように延伸して配置されている。ｙ軸方向には、図２（ｂ）に示すように、一例として、５個のｙ電極パターン１４が、ピッチＰ２で、等間隔で並んでいる。つまり、５個のｙ電極パターン１４は、ｙ軸の座標ｙ１〜座標ｙ５に対応する。５個のｙ電極パターン１４は、例えば、図３に示すように、駆動部２０及びタッチ検出部２２に電気的に接続されている。なお、本実施の形態に係るピッチＰ１とピッチＰ２は、一例として、等しいがこれに限定されない。
【００２３】
ｘ軸方向に配置されるｘ電極パターン１２は、例えば、図１（ａ）に示すように、ｙ軸方向のｙ電極パターン１４よりも上表面に近い層に形成されている。このｘ電極パターン１２は、例えば、ｙ電極パターン１２と電気的に絶縁されている。
【００２４】
ｘ軸方向に配置されるｘ電極パターン１２は、例えば、図２（ａ）に示すように、正方形となる複数のｘ電極部１２０と、ｘ電極部１２０よりも面積が小さく、ｘ電極部１２０同士を接続する複数の接続部１２１と、を備えて概略構成されている。なお、座標ｘ１及び座標ｘ６に配置された電極パターンは、一例として、他の座標に配置されたｘ電極パターン１２を長手方向に２つに分割した形状を有するが、他の座標の電極パターンと同様にｘ電極パターン１２と記載する。
【００２５】
ｙ軸方向に配置されるｙ電極パターン１４は、例えば、図２（ｂ）に示すように、正方形となる複数のｙ電極部１４０と、ｙ電極部１４０よりも面積が小さく、ｙ電極部１４０同士を接続する複数の接続部１４１と、を備えて概略構成されている。なお、座標ｙ１及び座標ｙ５に配置された電極パターンは、一例として、他の座標に配置されたｙ電極パターン１４を長手方向に２つに分割した形状を有するが、他の座標の電極パターンと同様にｙ電極パターン１４と記載する。
【００２６】
センサ基板１０を図１（ａ）のＡ方向から視ると、例えば、図１（ｂ）に示すように、ｘ軸方向に配置されるｘ電極パターン１２の電極部１２０と電極部１２０の間に、ｙ軸方向のｙ電極パターン１４の電極部１４０が位置するように、ｘ電極パターン１２及びｙ電極パターン１４は交差して配置される。なお、ｘ電極パターン１２及びｙ電極パターン１４の形状は、上記の例に限定されず、変更可能である。
【００２７】
（荷重センサ５２の構成）
荷重センサ５２は、タッチパッド３を支持し、タッチパッド３へのタッチによる荷重を検出するセンサで構成されている。図１（ａ）に示すように、例えば、センサ基板１０を端部で支持し、タッチパッド３へのタッチによる荷重を検出する。荷重センサとして、荷重による変位量がわかっている物体とひずみゲージを組み合わせたロードセルを配置して構成するが、圧力センサ等の他のセンサにより構成してもよい。なお、この荷重センサ５２は、ひずみゲージにより荷重を検出するので、タッチパッド３を押圧しても、タッチパッド３は下方向へはほとんど変位しない。図３に示すように、荷重センサ５２からの荷重センサ信号は、ＥＣＵ２４に入力され、制御部２４０において後述するタッチパッドによる選択とこの選択された選択肢の固定又は決定を判断して制御する際に使用される。
【００２８】
（駆動部２０の構成）
駆動部２０は、例えば、ＥＣＵ２４のセンサコントローラ２４１から出力される制御信号に基づいて、ｘ電極パターン１２及びｙ電極パターン１４に電圧Ｖを供給するように構成されている。
【００２９】
（タッチ検出部２２の構成）
タッチ検出部２２は、例えば、クロック信号生成部２４２により生成されたクロック信号に基づいて、座標ｘ１〜座標ｘ６に対応するｘ電極パターン１２、座標ｙ１〜座標ｙ５に対応するｙ電極パターン１４の順に、静電容量の読み出しを行う。
【００３０】
タッチ検出部２２は、例えば、座標ｘ１〜座標ｘ６に対応するｘ電極パターン１２の静電容量、座標ｙ１〜座標ｙ５に対応するｙ電極パターン１４の静電容量を読み出したのち、座標と静電容量を関連付けた静電容量情報をＥＣＵ２４に出力する。
【００３１】
（制御部２４０の構成）
制御部２４０は、例えば、記憶されたプログラムに従って、取得したデータに演算、加工等を行うＣＰＵ（Central Processing Unit）、半導電体メモリであるＲＡＭ（Random Access Memory）及びＲＯＭ（Read Only Memory）等を含んで概略構成されている。この制御部２４０は、例えば、各部を統括的に制御している。このＲＯＭには、例えば、しきい値２４０ａが格納されている。このしきい値２４０ａは、後述するタッチパッドによる選択と選択の解除、選択された選択肢の固定、及び、選択された選択肢の決定を判断して制御する、Ｔh1、Ｔh2、Ｔｈ0等の予め設定された値が種々記憶され、必要に応じて参照される。ＲＡＭは、例えば、演算等で発生したデータを一時的に格納する。
【００３２】
制御部２４０は、例えば、荷重センサ５２から取得した荷重センサ信号とタッチ検出部２２から取得した静電容量情報に基づいて、種々の処理を行なう。これらの処理は、後述する所定のフローチャートに従って、タッチパッド３による選択とこの選択された選択肢の固定又は決定を判断して制御される。なお、選択肢が決定されることにより、タッチパッド３へのタッチ操作によるｘｙ座標、又はこのｘｙ座標に対応する選択肢（図示省略する表示画面上のアイコン、文字、図形、メニュー等）により、ＥＣＵ２４は種々の機器への入力又は操作を行なうことができる。
【００３３】
（静電容量情報の取得動作）
入力装置１のセンサコントローラ２４１は、駆動部２０を制御するための制御信号を生成し、駆動部２０に出力する。
【００３４】
駆動部２０は、センサコントローラ２４１から取得した制御信号に基づいて駆動信号をｘ軸方向の電極パターン１２及びｙ軸方向の電極パターン１４に出力する。
【００３５】
タッチ検出部２２は、クロック信号生成部２４２から出力されたクロック信号を取得すると、クロック信号に基づいて、座標ｘ１に対応する電極パターン１２から座標ｙ５に対応する電極パターン１４の静電容量を順番に読み出し、静電容量情報を生成してＥＣＵ２４に出力する。入力装置１は、例えば、上記の動作を、クロック信号に基づいて、連続して行う。
【００３６】
（入力装置１の動作）
図４（ａ）は、押込み操作により決定を行なう構成の場合の時間と荷重の関係を示す時間―荷重曲線の一例であり、図４（ｂ）は、指を離す操作により決定を行なう構成の場合の時間と荷重の関係を示す時間―荷重曲線の一例である。
【００３７】
図４（ａ）において、荷重センサ５２により検出したタッチパッド３へのタッチによる荷重が、ゼロ（０）以上で第１の閾値である閾値Ｔｈ１未満の場合は選択モードである。すなわち、タッチ検出部２２により検出されるタッチパッド３上のｘｙ座標は固定されずに指の移動操作に伴って変化して、選択肢の選択が可能である。また、荷重が、閾値Ｔｈ１以上で第２の閾値である閾値Ｔｈ２未満の場合は固定モードである。すなわち、タッチ検出部２２により検出されたタッチパッド３上のｘｙ座標は固定され、タッチパッドにより選択された選択肢は固定される。なお、荷重が閾値Ｔｈ１未満となった場合は固定モードから選択モードに戻る。荷重が、第２の閾値である閾値Ｔｈ２以上となった場合、すなわち、指で強くタッチパッド３を押込み操作をした場合、固定されていた選択肢が決定される。
【００３８】
図４（ａ）で示すように、例えば、０からｔ１までの時間において荷重が閾値Ｔｈ１未満の場合はタッチパッド３上で選択肢を自由に選択可能である。ｔ１からｔ２までの時間において荷重が閾値Ｔｈ１以上で閾値Ｔｈ２未満の場合は選択肢が固定される。すなわち、ｔ１の時点の座標ｘｙが固定され、また、この座標ｘｙに対応した図示省略する表示画面上のアイコン、文字、図形、メニュー等が固定される。ｔ３において荷重が閾値Ｔｈ２未満となるとｔ２からｔ３までの時間において再び選択可能となる。ｔ３からｔ４までの時間において荷重が閾値Ｔｈ１以上となるとｔ３時点の選択肢が固定され、時間ｔ４で荷重が閾値Ｔｈ２以上となった場合は、固定されていた選択肢が決定される。
【００３９】
一方、図４（ｂ）において、荷重センサ５２により検出したタッチパッド３へのタッチによる荷重が、ゼロ（０）以上で第１の閾値である閾値Ｔｈ１未満の場合は選択モードである。すなわち、タッチ検出部２２により検出されるタッチパッド３上のｘｙ座標は固定されずに指の移動操作に伴って変化して、選択肢の選択が可能である。また、荷重が、閾値Ｔｈ１以上の場合は固定モードである。すなわち、タッチ検出部２２により検出されたタッチパッド３上のｘｙ座標は固定され、タッチパッドにより選択された選択肢は固定される。なお、荷重が閾値Ｔｈ１未満となった場合は固定モードから選択モードに戻る。荷重が、第２の閾値である閾値Ｔｈ０以下となった場合（時間ｔ５）、すなわち、指をタッチパッド３から離した場合、固定されていた選択肢が決定される。なお、閾値Ｔｈ０は、荷重ゼロの近傍に設定される。
【００４０】
（押込み操作による選択肢の決定動作）
以下に、本実施の形態に係る入力装置１の押込み操作により決定を行なう構成の場合の動作について図５のフローチャートを参照しながら説明する。
【００４１】
入力装置１の動作がスタートすると、制御部２４０は、荷重センサ５２の出力が閾値Ｔｈ１以上かどうかを判断する（Ｓｔｅｐ０１）。閾値Ｔｈ１以上の場合はＳｔｅｐ０２へ進み、閾値Ｔｈ１以上でない場合はＳｔｅｐ０１へ戻って、繰り返して判断を行なう。
【００４２】
荷重センサ５２の出力が閾値Ｔｈ１以上の場合は、タッチパッド３の出力、すなわち、ｘｙ座標、又はこのｘｙ座標に対応する選択肢（図示省略する表示画面上のアイコン、文字、図形、メニュー等）を固定する（Ｓｔｅｐ０２）。この処理後に、Ｓｔｅｐ０３へ進む。
【００４３】
制御部２４０は、荷重センサ５２の出力が閾値Ｔｈ２以上かどうかを判断する（Ｓｔｅｐ０３）。閾値Ｔｈ２以上の場合はＳｔｅｐ０４へ進み、閾値Ｔｈ２以上でない場合はＳｔｅｐ０５へ進む。
【００４４】
荷重センサ５２の出力が閾値Ｔｈ２以上の場合は、指でタッチパッド３が押込み操作されたと判断され、固定されていた選択肢が決定される（Ｓｔｅｐ０４）。これにより、タッチパッド３で選択された座標ｘｙ、また、この座標ｘｙに対応した表示画面上のアイコン、文字、図形、メニュー等が決定され、一連の動作フローを終了する。
【００４５】
Ｓｔｅｐ０５では、荷重センサ５２の出力が閾値Ｔｈ１以上かどうかを判断する。閾値Ｔｈ１以上の場合はＳｔｅｐ０２へ戻ってタッチパッド３の出力を固定し、閾値Ｔｈ１以上でない場合はＳｔｅｐ０６へ進む。なお、閾値Ｔｈ１以上の場合はＳｔｅｐ０３へ戻ってもよい。
【００４６】
Ｓｔｅｐ０６では、タッチパッド３の出力（選択肢）を固定解除してＳｔｅｐ０１へ戻る。これにより、タッチパッド３での選択が自由に行なえる初期状態（Ｓｔｅｐ０１）となる。
【００４７】
（タッチパッド３から指を離す操作による選択肢の決定動作）
以下に、本実施の形態に係る入力装置１において、タッチパッド３から指を離す操作により選択肢の決定動作を行なう構成の場合の動作について図６のフローチャートを参照しながら説明する。
【００４８】
入力装置１の動作がスタートすると、制御部２４０は、荷重センサ５２の出力が閾値Ｔｈ１以上かどうかを判断する（Ｓｔｅｐ１１）。閾値Ｔｈ１以上の場合はＳｔｅｐ１２へ進み、閾値Ｔｈ１以上でない場合はＳｔｅｐ１１へ戻って、繰り返して判断を行なう。
【００４９】
荷重センサ５２の出力が閾値Ｔｈ１以上の場合は、タッチパッド３の出力、すなわち、ｘｙ座標、又はこのｘｙ座標に対応する選択肢（図示省略する表示画面上のアイコン、文字、図形、メニュー等）を固定する（Ｓｔｅｐ１２）。この処理後に、Ｓｔｅｐ１３へ進む。
【００５０】
制御部２４０は、荷重センサ５２の出力が閾値Ｔｈ０以下かどうかを判断する（Ｓｔｅｐ１３）。閾値Ｔｈ０以下の場合はＳｔｅｐ１４へ進み、閾値Ｔｈ０以下でない場合はＳｔｅｐ１５へ進む。なお、閾値Ｔｈ０は、荷重ゼロの近傍に設定されている。
【００５１】
荷重センサ５２の出力が閾値Ｔｈ０以下の場合は、指がタッチパッド３から離された操作がされたと判断され、固定されていた選択肢が決定される（Ｓｔｅｐ１４）。これにより、タッチパッド３で選択された座標ｘｙ、また、この座標ｘｙに対応した表示画面上のアイコン、文字、図形、メニュー等が決定され、一連の動作フローを終了する。
【００５２】
Ｓｔｅｐ１５では、荷重センサ５２の出力が閾値Ｔｈ１以上かどうかを判断する。閾値Ｔｈ１以上の場合はＳｔｅｐ１２へ戻ってタッチパッド３の出力を固定し、閾値Ｔｈ１以上でない場合はＳｔｅｐ１６へ進む。なお、閾値Ｔｈ１以上の場合はＳｔｅｐ１３へ戻ってもよい。
【００５３】
Ｓｔｅｐ１６では、タッチパッド３の出力（選択肢）を固定解除してＳｔｅｐ１１へ戻る。これにより、タッチパッド３での選択が自由に行なえる初期状態（Ｓｔｅｐ１１）となる。
【００５４】
（本実施の実施の形態の効果）
本実施の実施の形態によれば、以下のような効果を有する。
（１）本実施の形態に係る入力装置１は、タッチパッド３へのタッチによる荷重を検出することにより選択肢の決定を判断する構成としている。よって、タッチパッド３を押圧する押込み操作をしてタッチパッド３が下方向へ変位することで入力決定動作中に指の検出位置が変動しても、異なる選択肢で決定されてしまうということがなく、タッチパネルでの入力決定動作中に、検出位置の変動による誤入力を抑制することができる入力装置を提供することができる。
（２）荷重センサの出力と第１の閾値から選択肢の選択又は固定を判断し、荷重センサの出力と第２の閾値から固定された選択肢の決定を判断する構成としている。これにより、タッチパネルでの入力決定動作中に選択肢の固定が可能となり、固定された選択肢を決定するようにしているので、誤入力を大幅に抑制する入力装置を実現することが可能となる。
（３）タッチ操作の荷重を計測し、その荷重の変化を利用して入力決定動作中に選択肢の固定を行ない入力決定を行なう。選択肢の固定中は、選択が固定されたことを画面表示、音声読み上げ等で明示することで、決定される選択肢の確認を行なうことができる。それにより、入力決定動作中の検出位置変動による誤入力を防ぐことができる。
（４）荷重センサの出力と第２の閾値から選択肢の決定を判断する構成としているが、第２の閾値を第１の閾値よりも大きく設定することにより押込み操作による選択肢の決定とすることができる。一方、第２の閾値を第１の閾値よりも小さく（ゼロ近傍）設定することによりタッチパッド３から指を離す操作による選択肢の決定とすることが可能となる。
【００５５】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００５６】
１…入力装置
３…タッチパッド
５…静電検出部
１０…センサ基板
１２…ｘ電極パターン
１４…ｙ電極パターン
２０…駆動部
２２…タッチ検出部
２４…ＥＣＵ
５０…ベース
５２…荷重センサ
１２０…ｘ電極部
１２１…接続部
１４０…ｙ電極部
１４１…接続部
２４０…制御部
２４０ａ…しきい値
２４１…センサコントローラ
２４２…クロック信号生成部
【図１】
2013161357.tif 000003
【図２】
2013161357.tif 000004
【図３】
2013161357.tif 000005
【図４】
2013161357.tif 000006
【図５】
2013161357.tif 000007
【図６】
2013161357.tif 000008